(57)【特許請求の範囲】
【請求項１】
先端側に先筒を装着するペン軸と、この先筒の先端に、軸方向に移動可能に嵌入されるペン芯とを備え、このペン芯が前記先筒に嵌入された状態で軸方向に押圧されることでペン軸内のインク室に貯留されているインクがペン芯に供給され、上記押圧が解除されることにより上記ペン芯へのインク供給が阻止される筆記具において、
ペン芯はペン軸の径より大きい幅かつ軸方向視で非円形状に形成されており、
前記先筒は二箇所以上の嵌合部によって前記ペン軸に着脱可能に装着されるものであると共に、
前記ペン芯を着脱可能に覆うキャップの内周部及び先筒の外周部に軸方向視で楕円形の部位が形成され、このキャップを先筒に装着する際には、当該楕円形の部位同士を嵌合するように形成されており、
前記先筒の嵌合部は、先筒外周面に周方向に間隔を置いて複数設けられ、該複数の嵌合部間を繋ぐように周方向に沿って前記キャップを嵌着するための環状段部が形成されることを特徴とする筆記具。
【請求項２】
前記先筒の楕円形の部位には、キャップとの嵌合時にキャップの内周面部に密接してペン芯をキャップ内に密封するためのゴム弾性材を保持する保持部と、キャップ内周面に嵌着してキャップを抜け止めする嵌合部とが設けられてシールされることを特徴とする請求項１記載の筆記具。
【請求項３】
前記ペン芯の誘導部と塗布部との間に、複数の開口部を形成したことを特徴とする請求項１又は２記載の筆記具。
【発明の詳細な説明】
【技術分野】
【０００１】
本発明はペン先が軸筒より幅広な筆記具に関する。
【背景技術】
【０００２】
従来、一般の筆記具では、その描線の幅が軸筒より細くなっていた。
したがって、特に、ポスター製作等で幅の太い描線を一度で筆記することが求められた場合、筆記ペン先を太くし、併せて軸筒も太くしていたが、これでは、著しく持ちづらくなり一般の筆記の使用に耐えられない。
【０００３】
そこで、下記の特許文献のように、従来の筆記具の軸筒のサイズを維持しながらペン芯を太くする技術が開示されている（特許文献１〜３参照）。
【先行技術文献】
【特許文献】
【０００４】
【特許文献１】特開２００４−１５５１６６号公報
【特許文献２】実開平０７−２６１９３号公報
【特許文献３】特開平０６−１３４３８２号公報
【発明の概要】
【発明が解決しようとする課題】
【０００５】
しかし、特許文献１及び２の筆記具は、ペン芯を保持した先筒がネジ式で軸本体に保持されており、インク（「インキ」とも称する）の補充の際、先筒を軸本体に対して回転させてネジを外す必要から、脱着に手間が掛かり容易でなかった。
【０００６】
なお、特許文献３では、接着剤塗布用の吐出ヘッドに関して、接着剤収容体の先端側に装着するのに、螺合方式の他、嵌合方式、掛け止め方式でもよい旨が記載されるが、短い筒状の係止部に環状連結部を装着するので、収容体に対する吐出ヘッドの支持が弱くなりやすく、ぐらつく虞がある。
【０００７】
本発明は、先筒のペン軸に対する脱着を容易かつ確実にでき、またキャップした際にシール性のある筆記具を提供する。さらにキャップを楕円形にすることで幅広なペン芯にしても収納体積を取らずかつデザイン性のある筆記具を提供する。
【課題を解決するための手段】
【０００８】
本発明は、先端に先筒を装着するペン軸と、この先筒の先端に、軸方向に移動可能なように嵌入されるペン芯とを備え、このペン芯が前記先筒に嵌入された状態で軸方向に押圧されることでペン軸内のインク室に貯留されているインクがきペン芯に供給され、上記押圧が解除されることにより上記ペン芯へのインク供給が阻止される筆記具において、
ペン芯は軸筒の径より大きい幅かつ軸方向視で非円形状に形成されており、
前記先筒は二箇所以上の嵌合部によって前記ペン軸に着脱可能に装着されるものであることを特徴とする筆記具である。
【０００９】
本発明において、ペン芯を着脱可能に覆うキャップ内周部及び先筒外周部に軸方向視で楕円形の部位が形成され、このキャップを先筒に装着する際には、当該楕円形の部位同士を嵌合するようにした筆記具であって、
前記先筒の楕円形部位には、キャップとの嵌合時にキャップの内周面部に密接してペン芯をキャップ内に密封するためのゴム弾性材を保持する保持部と、キャップ内周面に嵌着してキャップを抜け止めする嵌合部とが設けられてシールされることが好適である。
【００１０】
本発明において、先筒の嵌合部は、先筒外周面に周方向に間隔を置いて複数設けられ、該複数の嵌合部間を繋ぐように周方向に沿ってキャップを嵌着するための環状段部が形成されることが好適である。
【発明の効果】
【００１１】
本発明の筆記具によれば、先筒が二箇所以上の嵌合部によってペン軸に着脱可能に装着されるものであるので、先筒のペン軸に対する脱着を容易かつ確実にでき、またキャップした際にシール性のある筆記具を提供できる。
【００１２】
さらにペン芯を着脱可能に覆うキャップを楕円形にすることで幅広なペン芯にしても収納体積を取らずかつデザイン性のある筆記具を提供できるという優れた効果を奏し得る。
【図面の簡単な説明】
【００１３】
【図１】本発明の第１の実施形態に係る筆記具の説明図であり、（ａ）が先筒の幅広側面の一側から見た図、（ｂ）が先方から見た図、（ｃ）が幅狭側面から見た図、（ｄ）が後方から見た図、（ｅ）が幅広側面の他側から見た図、（ｆ）が前方斜視図、（ｇ）側方斜視図、（ｈ）が後方斜視図である。
【図２】第１の実施形態に係る筆記具の縦断説明図であり、（ａ）が先筒の幅狭方向に沿って縦断した図、（ｂ）先筒の幅広側に沿って縦断した図である。
【図３】図１〜２の筆記具の先筒の説明図であり、（ａ）が前方斜視図、（ｂ）が先方から見た図、（ｃ）が幅狭側から見た図、（ｄ）が幅広方向に沿う縦断図、（ｅ）が幅広側面から見た図、（ｆ）が後方斜視図、（ｇ）が後方視図である。
【図４】キャップを取った状態の図１の筆記具の説明図であり、（ａ）が先筒の幅広側面の一側から見た図、（ｂ）が先方から見た図、（ｃ）が幅狭側面から見た図、（ｄ）が後方から見た図、（ｅ）が幅広側面の他側から見た図、（ｆ）が前方斜視図、（ｇ）側方斜視図、（ｈ）が後方斜視図である。
【図５】キャップを取った状態の図１の筆記具の先筒の説明図であり、（ａ）が前方斜視図、（ｂ）が先方から見た図、（ｃ）が幅狭側から見た図、（ｄ）が幅広方向に沿う縦断図、（ｅ）が幅広側から見た図、（ｆ）が後方斜視図、（ｇ）が後方視図である。
【図６】第２の実施形態に係る筆記具の先筒の説明図であり、（ａ）が先筒の先方側から見た斜視図、（ｂ）が先方から見た図、（ｃ）が幅狭側面から見た図、（ｄ）が縦断面図、（ｅ）が幅広側面の他側から見た図、（ｆ）が後方斜視図、（ｇ）が後方から見た図である。
【図７】第３の実施形態に係る筆記具の先筒の説明図であり、（ａ）が先筒の幅広側面の一側から見た図、（ｂ）が後方斜視図、（ｃ）が幅広側面から見た図、（ｄ）が断面図、（ｅ）が幅狭側面から見た図、（ｆ）が先方から見た図、（ｇ）が前方斜視図である。
【図８】第３の実施形態に係る筆記具のキャップの説明図であり、（ａ）がキャップの前方斜視図、（ｂ）が先方から見た図、（ｃ）が幅広い側面から見た図、（ｄ）が（ｃ）状態の断面図、（ｅ）が後方から見た図、（ｆ）が幅狭い側面から見た図、（ｇ）が（ｆ）状態の断面図である。
【図９】第３の実施形態に係る筆記具のペン芯の説明図であり、（ａ）がペン芯の後方斜視図、（ｂ）が別角度の斜視図、（ｃ）が先方から見た図、（ｄ）が幅広い側の側面図、（ｅ）が幅狭い側の側面図である。
【発明を実施するための形態】
【００１４】
以下、本発明の実施の形態を添付図面を参照して説明する。
【００１５】
図１〜図５は、第１の実施形態に係る筆記具の説明図である。
【００１６】
図１〜図５に示すように、第１の先端に先筒１０を装着するペン軸（軸筒）１２と、この先筒１０の先端に、軸方向に移動可能なように嵌入されるペン芯１４とを備え、このペン芯１４が前記先筒１０に嵌入された状態でペン軸１２の後方向に押圧されることでペン軸１２内のインク室１６に貯留されているインクがペン芯１４に供給され、上記押圧が解除されることにより上記ペン芯１４へのインク供給が阻止される筆記具である。さらに詳しく説明すると、前記ペン芯１４はペン軸１２の径より大きい幅かつ軸方向視で非円形状に形成されている。
【００１７】
第１の実施形態では、図４〜図５に示すように、ペン芯１４は、先方から見て矩形を呈し、側面視で幅広の塗布部１４ａから一本足状に誘導部１４ｂがインク室１６側に延びており、概略Ｔ字形状を呈している。また、ペン芯１４は、フェルトや多孔質体等のインクを含浸し毛細管力で誘導する材質のものである。ペン芯１４には、繊維質のものや樹脂成形材等を適宜に選定して用いることができる。
【００１８】
〔先筒１０〕
また、前記先筒１０は、ペン芯１４を前後動可能に装着して側方へのガタツキを少なくして誘導支持する概略椀状の誘導支持部１０ａが先方部に設けられ、ペン軸１２の先方部に外嵌して固定する連結筒部１０ｂが後方部に設けられている。この連結筒部１０ｂに形成された二箇所（本発明では三箇所以上でもよい）の嵌合部１８によって前記ペン軸１２に着脱可能に装着されるものである。
【００１９】
〔ペン軸１２〕
ペン軸１２は、先端部が段状に細径になっており、その先端部に筒状の継手筒２０が覆うように嵌着され一体化している。ペン軸１２はその内部がインクを収容するインク室１６になった先端開放かつ後端端閉鎖の軸方向に長い筒体構造のものである。
【００２０】
この継手筒２０は、後方部２０ｒ、中央部２０ｃ、先方部２０ｆの順に段階的小径に形成された３段先細り構造の中空筒体構造のものである。継手筒２０の後方部２０ｒはペン軸１２の先端部の外周面に嵌合または螺合（接着や融着でもよい）して固定される。前記継手筒２０の中央部２０ｃと後方部２０ｒの段差をペン軸１２の先端面に突き当てて、継手筒２０をペン軸１２に固定する。後方部２０ｒ後端とペン軸１２肩部との間に凹みを設け、また、中央部２０ｃの後方部２０ｒ側端の段差付近の外周に先筒１０嵌合用の環状の凸部が形成されている。
【００２１】
〔嵌合部１８〕
図２〜図３に示すように、前記ペン軸１２に先筒１０を嵌合させる嵌合部１８は、連結筒部１０ｂに前記継手筒２０の段状の外周面（後方部２０ｒ、中央部２０ｃ、先方部２０ｆの各外周面）に対応した段状の内周面（後方部、中央部、先方部）を有し、かつ、段状の内周面の後方部の環状凸部からなる嵌合部１８（１８ａ）及び中央部の後方部寄りの位置の環状凸部からなる嵌合部１８（１８ｂ）を設けている。嵌合部１８ａを継手筒２０の後方部２０ｒ後端とペン軸１２肩部との間で形成された凹みに嵌合させ、また、嵌合部１８ｂを、継手筒２０の中央部２０ｃの後側端の段差付近の外周に形成された環状の凸部に乗り越えさせて嵌合させる。
【００２２】
〔弁機構２２〕
ペン軸１２の先端部及び継手筒２０の内部に弁機構２２を設けており、弁機構２２を開閉することによってペン軸１２のインク室１６の先方部にある供給開口からペン芯１４先端部に供給するインクの量を調整するものである。
【００２３】
上記弁機構２２は、図２に示すように、後方窄まりの筒状の保持枠２４を有し、この保持枠２４の先方側の開口端に弁座部材２６が嵌め込まれている。この保持枠２４には、インク室１６側と保持枠２４内側にインクを流通させる図示しない流通孔が形成されている。
【００２４】
前記弁座部材２６の中央には弁体２８が先後移動可能に装入された弁孔２６ａが形成されている。上記弁体２８の弁孔２６ａに対峙する面が先窄まりのテーパー状の斜面に形成されている。そして、弁体２８の斜面が弁孔２６ａの縁に当たることにより供給路を閉鎖し、弁体２８の斜面が弁孔２６ａの縁から離れることにより供給路を開放するようになっている。
【００２５】
上記弁体２８には、一端がインク室１６側に延びる長尺な支持杆２８ａが連設されている。また、弁体２８の他端には上記ペン芯１４側に突き出す筒部２８ｂが連設されている。そして、筒部２８ｂは弁座部材２６の弁孔２６ａに間隙を置いて遊嵌されて、かつ、弁座部材２６の外面から継手筒２０内の通路３０内に充分に突き出すように設けられている。筒部２８ｂの突き出し先端縁部には一部切欠き形成した複数の通路３０が形成されている。この通路３０はペン芯１４の誘導部１４ｂに弁体２８の筒部２８ｂが当たった状態でも筒部２８ｂの内側にもインクを廻り込ませ、誘導部１２ｂに十分にインクを行き渡らせるものである。
【００２６】
この支持杆２８ａは後方に延びた保持枠２４の後部孔に進退可能に挿入されている。
前記保持枠２４と支持杆２８ａとの間に付勢部材のスプリング３２が緩く装着されて、弁体２８が保持枠２４に対して先方に閉鎖方向に付勢されている。通常、弁機構２２は弁体２８によって閉鎖する状態に保持される。
【００２７】
上記筆記具では、ペン芯１４を着脱可能に覆うキャップ３４が設けられる。そのキャップ３４内周部及び先筒１０（の誘導支持部１０ａ）の外周部に軸方向視で楕円形の部位（外周壁部３６）が形成され、このキャップ３４を先筒１０に装着する際には、当該楕円形の部位同士を嵌合するようにしたものである。
【００２８】
図４〜図５に示すように、前記先筒１０の誘導支持部１０ａの楕円形部位には、キャップ３４との嵌合時にキャップ３４の内周面部に密接してペン芯１４をキャップ３４内に密封するためのＯ（オー）リング等のゴム弾性材３８を保持する保持部４０と、キャップ３４内周面に嵌着してキャップ３４を抜け止めする第２の嵌合部４２とが設けられてシールされ、不用意にキャップ３４が外れない構造になっている。
【００２９】
誘導支持部１０ａは、全体が概略杯状を呈し、幅広のペン芯１４を誘導装着する挿通孔が内周に形成された軸方向視で矩形の誘導壁部１０ａ１が軸方向先方に立設している。誘導壁部１０ａ１は、一定厚さに形成され先方視で内・外壁面が矩形に形成され、内壁面にペン芯１４を支持誘導する複数のリブが軸方向に沿って形成されている。また、誘導支持部１０ａは外周に軸方向視で外周が楕円形を呈する前記外周壁部３６が概略椀状に形成されており、誘導壁部１０ａ１と外周壁部３６との間に空間が形成され、その空間を埋めるように保持部４０が嵌め込まれている。
【００３０】
図５に示すように、保持部４０は、誘導壁部１０ａ１の矩形の外周と外周壁部３６の楕円形の内周に対応してそれら密着する外周面及び内周面形状を呈した環状部材であり、その外周壁部３６の先端部外周がフランジ状に形成されるものである。前記ゴム弾性材３８は、前記外周壁部３６の先端縁と保持部４０のフランジ状先端部外周部の後端面とで挟み付けられて先筒１０の誘導支持部１０ａから脱落しないように形成されている。
【００３１】
上記のように、前記先筒１０の外周の楕円形部位に、キャップ３４との嵌合時にキャップ３４の内周面部にゴム弾性材３８が密接してペン芯１４をキャップ３４内に密封するようになっている。
【００３２】
また、第２の嵌合部４２は、誘導壁部１０ａ１の周面に楕円形のほぼ長軸と短軸が一致する位置に凹凸構造によって形成される。第２の嵌合部４２がキャップ３４内周面の凹凸の構造の縦溝３４ａに嵌着してキャップ３４を抜け止めして、キャップ３４によってペン芯１４をシールする構造になっている。
【００３３】
なお、第２の嵌合部４２とペン芯１４との間には放射状に複数の梁部４６が形成され、その梁部４６同士の間にはインク受け部４８が形成されている。インク受け部４８はペン芯１４から漏れ出た不要なインクを回収することができ、先筒１０へのインク汚れを防止することができる。
【００３４】
本実施形態の塗布具の作動について説明する。
【００３５】
塗布具を使用しない保管時にはペン芯１４及び先筒１０の先端部にキャップ３４を被せインクの揮発を防止し、また、弁機構２２は閉鎖している。このため、インク室１６からペン芯１４にインクが供給されないので、ペン芯１４を通じてキャップ３４内に塗料が溢れ出すことがない。
【００３６】
また、塗布器具を使用する場合はキャップ３４をペン芯１４及び先筒１０から取り外し、ペン芯１４を繰り返し押し込む。ペン芯１４を押し込んだとき、ペン芯１４が、弁機構２２の弁体２８を介して、スプリング３２の付勢力に抗して、弁体２８を押し込む。すると、弁体２８が弁座部材２６から離れ、弁孔２６ａを開口させ、弁機構２２を開くので、インク室１６からペン芯１４先端部にインクが供給される。
【００３７】
ペン芯１４を押し込む操作を繰り返すことにより、多くのインクをペン芯１４に供給することができる。この押し込む操作を繰り返すことによって、弁座部材２６、弁体２８、保持枠２４等の弁機構２２がポンピング作用を奏する。また、ペン芯１４は繊維等の隙間の毛細管現象などにより吸液性と浸透性を示すように形成されているので、インクが全体に行き渡るようにしみ出る。
【００３８】
このようにして、液状のインクがペン軸１２から弁機構２２を介してペン芯１４全体に染み渡って使用できる状態になる。
【００３９】
以上のように、本実施形態では先筒１０が二箇所以上の嵌合部１８（１８ａ、１８ｂ）によってペン軸１２に着脱可能に装着されるものであるので、先筒１０のペン軸１２に対する脱着を容易かつ確実にでき、またキャップ３４と嵌めた際にシール性のある筆記具を提供できる。
【００４０】
さらにペン芯１４を着脱可能に覆うキャップ３４を楕円形にすることで幅広なペン芯１４にしても収納体積を取らずかつデザイン性のある筆記具を提供できる。
【００４１】
次に、第２の実施形態に係る筆記具を説明する。図６は、この第２の実施形態に筆記具の説明図である。なお、図１〜図５と同様箇所に同一の符号を付している。また、ペン軸１２や弁機構２２は第１の実施形態のもの（図１〜図２、図４に示す）と同様の構成、機能及び作用を有する。
【００４２】
図６に示すように、この筆記具では、先筒１０の第２の嵌合部４２は、先筒１０外周面に周方向に間隔を置いて複数設けられている。それらの複数の第２の嵌合部４２、４２…間を繋ぐように周方向に沿ってキャップ３４を嵌着するための環状段部４４が形成されている。環状段部４４は、先方側より後方側がやや高く形成されて、キャップ３４を拡径しながら嵌着する構成となっている。
【００４３】
環状段部４４によって、キャップ３４を緊密に嵌着でき、かつ、気密も一層保てるためペン芯１４からインクが蒸発するのをより確実に防止できる。
【００４４】
次に、第３の実施形態に係る筆記具を説明する。図７〜９は、この第３の実施形態に係る筆記具の説明図である。なお、図７〜図９では、図１〜図６と同様箇所に同一の符号を付している。また、ペン軸１２や弁機構２２（図１〜図２、図４に示される）は第１の実施形態、第２の実施形態のものと同様の構成、機能及び作用を奏する。
【００４５】
第３の実施形態は、キャップ３４天面に凹部３４ｃを形成していること、ペン芯１４にテーパー部１４ｃと開口部１４ｄを形成している点が前述の第１の実施形態及び第２の実施形態とで異なる。
この第３実施形態では、図７や図８に示すように、キャップ３４天面の凹部３４ｃは、キャップ３４の先方視で概略矩形または長円形の先端において、周囲が壁状に突出した部分に囲まれた中央部が相対的に凹んだ形態で凹部３４ｃになっている。
【００４６】
キャップ３４天面に凹部３４ｃを形成することにより、キャップ３４天面でペン芯のポンピングをしてもインクがキャップ３４から溢れることなく、また筆記前のポンピングを紙面で行う必要がなくなるため、紙面を不要に汚すことを避けることができる。
さらにペン芯は、図７や図９に示すように、ペン芯１４は、一本足状の誘導部１４ｂと塗布部１４ａ側（先端側）の間の幅方向側端部が、塗布部１４ａ先端側に行くにつれて拡径するテーパー面のテーパー部１４ｃが形成され、かつ、ペン芯１４の正面から背面にかけて貫通する三角形状で複数の開口部１４ｄが形成されている。複数の開口部１４ｄ同士は細い幅のブリッジ部１４ｄで仕切られた形状を呈している。
【００４７】
この構成にすることで、ペン芯１４おいては、狭いインクの供給口からインクが誘導部１４ｂから開口部１４ｄの周囲の左右のテーパー部１４ｃ（及び複数の開口部１４ｄ同士を仕切るブリッジ部１４ｅ）を介して効率良く伝わって幅広の塗布部１４ａに対して均一に充填することができるので、インク供給効率を向上させることができる。また、ペン芯１４の開口部１４ｄがペン芯の体積が減少するためペン軸（軸筒）１２内のインクが無くなった（終筆時の）場合にペン芯１４に含まれるインク残りを少なくすることができる。さらに速書によるインク追従性も向上することができる。
なお、開口部１４ｄは図面では三角形状のものが３つ空いているが、筆圧の強度に影響がなくインク供給性能が向上すれば、数や形状は特に指定しない。
【００４８】
第１及び第２の実施形態のペン芯１４では、中心部分には十分にインクが行き渡るが、インクの粘度や浸透圧によっては塗布部１４ａの両サイド部分に十分にインクを行き渡らせる要請があった。そこで、そのような要請にこたえるべく第３の実施形態の構成にすることで、インクがペン芯１４全体にスムーズに行き渡るようになった。
【産業上の利用可能性】
【００４９】
本発明の筆記具は、塗布液を塗る塗布具としても利用することができる。
【符号の説明】
【００５０】
１０  先筒
１０ａ  誘導支持部
１０ａ１  誘導壁部
１０ｂ  連結筒部
１２  ペン軸
１４  ペン芯
１４ａ  塗布部
１４ｂ  誘導部
１４ｃ  テーパー部（第３の実施形態）
１４ｄ  開口部（第３の実施形態）
１６  インク室
１８（１８ａ、１８ｂ）  嵌合部
２０  継手筒
２０ｃ  継手筒の中央部
２０ｆ  継手筒の先方部
２０ｒ  継手筒の後方部
２２  弁機構
２４  保持枠
２６  弁座部材
２６ａ  弁孔
２８  弁体
２８ａ  支持杆
２８ｂ  筒部
３０  通路
３２  スプリング
３４  キャップ
３４ａ  縦溝
３４ｃ  凹部（第３の実施形態）
３６  外周壁部
３８  ゴム弾性材
４０  保持部
４２  第２の嵌合部
４４  環状段部
４６  梁部
４８  インク受け部
【図１】
0006016410.tif 000002
【図２】
0006016410.tif 000003
【図３】
0006016410.tif 000004
【図４】
0006016410.tif 000005
【図５】
0006016410.tif 000006
【図６】
0006016410.tif 000007
【図７】
0006016410.tif 000008
【図８】
0006016410.tif 000009
【図９】
0006016410.tif 000010